(57)【要約】      （修正有）【課題】来訪者が離れた場所からも視認可能な拡大表示モードや詳細情報を提供可能な詳細表示モードを有する案内表示システムを提供する。【解決手段】ビルの来訪者に対する応対や案内を行う案内表示システムであって、来訪者に配布されＩＤ番号情報を送信する送信機を内蔵したＩＤ入館証と、ＩＤ入館証のＩＤ番号情報と来訪者の属性情報とを対応付けて記憶するデータベース部３０と、ＩＤ入館証の送信機から送信されるＩＤ番号情報を読み取るＩＤ入館証読み取り部２０と、ＩＤ入館証の送信機からの電波の強度を検知する電波強度検知部２５と、ＩＤ入館証を保持するビルの来訪者に対する応対や案内の画面表示を行う表示部４０とにより、ＩＤ入館証のＩＤ番号情報と、電波強度と、該データベース部３０における来訪者の属性情報とに応じて表示部４０の表示制御を行う主制御部１０と、を有することを特徴とする。【選択図】図１
2008282255.tif 000002
【特許請求の範囲】
【請求項１】
ビルディングなどに設置され、当該ビルディングの来訪者に対する応対や案内などを行う案内表示システムにおいて、
来訪者に配布され唯一無二のＩＤ番号情報を送信する送信機を内蔵したＩＤ入館証と、
ＩＤ入館証のＩＤ番号情報と来訪者の属性情報とを対応付けて記憶するデータベース部と、
ＩＤ入館証の送信機から送信されるＩＤ番号情報を読み取るＩＤ入館証読み取り部と、
ＩＤ入館証の送信機からの電波の強度を検知する電波強度検知部と、
ＩＤ入館証を保持するビルディングの来訪者に対する応対や案内の画面表示を行う表示部と、
該ＩＤ入館証読み取り部で読み取ったＩＤ入館証のＩＤ番号情報と、該電波強度検知部で検知される電波強度と、該データベース部における来訪者の属性情報とに応じて該表示部の表示制御を行う主制御部と、を有することを特徴とする案内表示システム。
【請求項２】
該電波強度検知部で検知される電波強度が所定の閾値以上である場合には、該表示部における表示情報量を多くした詳細表示モードによる表示を行い、該電波強度検知部で検知される電波強度が所定の閾値未満である場合には、該表示部における表示情報量を少なくした拡大表示モードによる表示を行うことを特徴とする請求項１に記載の案内表示システム。
【請求項３】
該ＩＤ入館証読み取り部において読み取られるＩＤ入館証のＩＤ番号情報が複数存在する場合には、全てのＩＤ番号情報に対応する情報を該表示部に表示することを特徴とする請求項１又は請求項２に記載の案内表示システム。
【請求項４】
該ＩＤ入館証読み取り部において読み取られるＩＤ入館証のＩＤ番号情報が複数存在する場合には、該電波強度検知部で検知される電波強度が最も強いＩＤ入館証のＩＤ番号情報に対応する情報を該表示部に表示することを特徴とする請求項１又は請求項２に記載の案内表示システム。
【請求項５】
該ＩＤ入館証読み取り部において読み取られるＩＤ入館証のＩＤ番号情報が複数存在する場合で、ＩＤ入館証のＩＤ番号情報のうち属性情報として優先表示が記録されているＩＤ入館証のＩＤ番号情報に対応する情報を該表示部に表示することを特徴とする請求項１乃至請求項４のいずれかに記載の案内表示システム。
【発明の詳細な説明】
【技術分野】
【０００１】
本発明は、ビルディングなどの入り口付近に設置されて、ビルディング入館者・来訪者に対する応対や案内などを行う案内表示システムに関する。
【背景技術】
【０００２】
近年、オフィスやイベント会場などにおいて、来訪者に対し電子掲示板（モニタ）を用いて、行き先や催し物などの案内を行う案内表示システムを導入する事例が増加している。このような案内表示システムとしては、案内表示システム設置会場で開催されるイベントなどに合わせ、固定画面が表示されるものや、来訪者によるタッチパネル操作などによって画面が変化するものなどが挙げられる。これらの案内表示システム例では、来訪者ごとにきめ細かに対応することは不可能なので、案内表示システムの応用例として、ＩＤ番号を持たせた入館証を利用してゲストの来訪目的、来訪場所に合わせた個別の案内をするシステムが提案されている。
【０００３】
このようなシステムとしては、例えば、特許文献１（特開２００５−３１６９４５号公報）に、高度なセキュリティを要する施設において、当該施設への来訪者を来訪目的に合わせて許可エリアに案内するとともに、施設の防護エリア内への侵入を的確に排除するためのセキュリティシステムであって、  来訪者に関する来訪者情報を来訪目的および行動予定とともに登録し、これに実際の行動状況を逐次に登録して関連付けていくデータベース手段と、このデータベース手段に来訪者を照会することにより、当該来訪者が本人であることを認証するとともに、来訪者のための管理符号を当該来訪者にマーキングし、かつ、その個人情報などと関連付けて前記データベース手段に提供する来訪者特定手段と、この来訪者特定手段によりマーキングした管理符号を許可エリアおよび防護エリアの各ゲートにおいて検出したときに、当該管理符号を前記データベース手段に照会して来訪者による進入、退出の可否を判定し、その判定結果を個人情報などと関連付けてデータベース手段に提供する行動追跡手段と、前記データベース手段における登録内容および設定内容により、来訪者には、その許可エリアへの案内および防護エリアについての警告を、また、管理者には、来訪者ごとに各エリアの入出履歴および行動監視手段の判定結果を、それぞれ模式的に表示する案内監視手段とを有していることを特徴とするセキュリティシステムが開示されている。
【特許文献１】特開２００５−３１６９４５号公報
【発明の開示】
【発明が解決しようとする課題】
【０００４】
ところが、特許文献１に記載のシステムでは、来訪者のデータベース手段における登録内容に基づいて許可エリアへの案内を行うのみの構成であるので、来訪者に対して効率的に情報提供を行うものではない。すなわち、特許文献１に記載のシステムでは、来訪者に対する画面表示、警句表示などを来訪者が視認できるか否かにかかわらず、システム側が一方的に提供するものであるので、来訪者にとってユーザーフレンドリーな構成であるとは言い難い。
【課題を解決するための手段】
【０００５】
この発明は、上記課題を解決するものであって、請求項１に係る発明は、ビルディングなどに設置され、当該ビルディングの来訪者に対する応対や案内などを行う案内表示システムにおいて、来訪者に配布され唯一無二のＩＤ番号情報を送信する送信機を内蔵したＩＤ入館証と、ＩＤ入館証のＩＤ番号情報と来訪者の属性情報とを対応付けて記憶するデータベース部と、ＩＤ入館証の送信機から送信されるＩＤ番号情報を読み取るＩＤ入館証読み取り部と、ＩＤ入館証の送信機からの電波の強度を検知する電波強度検知部と、ＩＤ入館証を保持するビルディングの来訪者に対する応対や案内の画面表示を行う表示部と、該ＩＤ入館証読み取り部で読み取ったＩＤ入館証のＩＤ番号情報と、該電波強度検知部で検知される電波強度と、該データベース部における来訪者の属性情報とに応じて該表示部の表示制御を行う主制御部と、を有することを特徴とする。
【０００６】
また、請求項２に係る発明は、請求項１に記載の案内表示システムにおいて、該電波強度検知部で検知される電波強度が所定の閾値以上である場合には、該表示部における表示情報量を多くした詳細表示モードによる表示を行い、該電波強度検知部で検知される電波強度が所定の閾値未満である場合には、該表示部における表示情報量を少なくした拡大表示モードによる表示を行うことを特徴とする。
【０００７】
また、請求項３に係る発明は、請求項１又は請求項２に記載の案内表示システムにおいて、該ＩＤ入館証読み取り部において読み取られるＩＤ入館証のＩＤ番号情報が複数存在する場合には、全てのＩＤ番号情報に対応する情報を該表示部に表示することを特徴とする。
【０００８】
また、請求項４に係る発明は、請求項１又は請求項２に記載の案内表示システムにおいて、該ＩＤ入館証読み取り部において読み取られるＩＤ入館証のＩＤ番号情報が複数存在する場合には、該電波強度検知部で検知される電波強度が最も強いＩＤ入館証のＩＤ番号情報に対応する情報を該表示部に表示することを特徴とする。
【０００９】
また、請求項５に係る発明は、請求項１乃至請求項４のいずれかに記載の案内表示システムにおいて、該ＩＤ入館証読み取り部において読み取られるＩＤ入館証のＩＤ番号情報が複数存在する場合で、ＩＤ入館証のＩＤ番号情報のうち属性情報として優先表示が記録されているＩＤ入館証のＩＤ番号情報に対応する情報を該表示部に表示することを特徴とする。
【発明の効果】
【００１０】
本発明の案内表示システムによれば、来訪者が保持するＩＤ入館証の送信機からの電波の強度に基づいて、表示部における表示モードを変更するように構成されるので、表示部と来訪者との距離が考慮された効率的な表示を行うことができる。すなわち、本発明の案内表示システムは、来訪者が表示部から離れた場所にいるときには、案内表示システムは拡大表示モードとなり、来訪者が離れた場所からも表示部を視認できるようにし、また、来訪者が表示部の近くにいるときには、案内表示システムは詳細表示モードとなり、来訪者に対して詳細な情報を提供することが可能となる。
【００１１】
また、本発明の案内表示システムによれば、読み取られるＩＤ入館証のＩＤ番号情報が複数存在する場合には、全てのＩＤ番号情報に対応する情報を表示部に表示する「同時表示モード」と、電波強度検知部で検知される電波強度が最も強いＩＤ入館証のＩＤ番号情報に対応する情報を表示部に表示する「近接優先表示モード」とをとることが可能となり、案内表示システムをきめ細かく設定可能となっている。
【００１２】
また、本発明の案内表示システムによれば、読み取られるＩＤ入館証のＩＤ番号情報が複数存在する場合には、ＩＤ入館証のＩＤ番号情報のうち属性情報として優先表示が記録されているＩＤ入館証のＩＤ番号情報に対応する情報を表示部に表示する「優先表示モード」があるので、例えば障害を有する来訪者などを優先的に案内することができる。
【発明を実施するための最良の形態】
【００１３】
以下、本発明の実施の形態を図面を参照しつつ説明する。図１は本発明の実施の形態に係る案内表示システムのブロック構成の概要を示す図である。案内表示システムは、ビルディングなどの入り口付近に設けられて、ビルディング入館者（来訪者）に対する応対や案内などを行うように構成されるシステムである。図１において、１０は主制御部、２０はＩＤ入館証読み取り部、２５は電波強度検知部、３０はデータベース部、４０は表示部をそれぞれ示している。
【００１４】
主制御部１０は、ＣＰＵなどの中央演算装置やＲＯＭなどの書き換え不能な記憶素子、ＲＡＭなどの書き換え可能な記憶素子、ＨＤＤなどの太容量記憶装置、キーボードやポインティングデバイスなどの入力機器、モニタ、印刷装置などの外部出力機器機、ネットワーク接続機器機などの周辺装置などからなる汎用の情報処理機構であり、例えば一般的なパーソナルコンピュータなどのシステムを用いることができる。主制御部１０は、それぞれの構成と協働することによって、本発明における案内表示システムのための処理・制御を行うものである。このような案内表示システムの制御・処理のためのプログラムはＲＯＭなどの書き換え不能な記憶素子やＨＤＤなどの太容量記憶装置などに書き込んでおく。主制御部１０において、このようなプログラムを実行することにより、本発明の案内表示システムの機能を実現することができる。
【００１５】
案内表示システムが設置されるビルディングの入館者や来訪者に対しては、固有の（唯一無二の）ＩＤを有するＩＤ入館証が配布される。このＩＤ入館証には、固有の（唯一無二の）ＩＤ番号が付され、そのＩＤ番号を送信可能な送信機が内蔵されている。このようなＩＤ入館証に内蔵される送信機としては、アクティブ型、ＵＨＦ帯パッシブ型のＲＦＩＤタグ、無線ＬＡＮ端末などを利用することができる。ＩＤ入館証読み取り部２０は、このようなＩＤ入館証の送信機から送信されるＩＤ番号を読み取るものであり、このＩＤ入館証読み取り部２０における電波強度検知部２５は、ＩＤ入館証の送信機からの信号電波の強度を検知する。本発明の案内表示システムでは、この電波強度検知部２５によって検知される電波の強度によって、ＩＤ入館証を保持する来訪者と案内表示システムとの距離を推定するようになっている。
【００１６】
データベース部３０は、ＩＤ入館証の固有のＩＤ番号と、当該ＩＤ入館証が配布される来訪者の属性との対応情報からなるデータベースである。図２は、データベース部３０が保持するデータ構造例の概略を示す図である。図２に示すように、データベース部３０は、ＩＤ入館証の固有の「ＩＤ番号」と、そのＩＤ番号のＩＤ入館証を保持する来訪者の「来訪者氏名」、「来訪者所属」、「来訪目的」、「来訪場所」、「来訪予定時刻」、「使用言語」、「優先表示有無」などのデータを有するものである。このデータベース部３０のデータ構造における「優先表示有無」は、例えば、ＩＤ入館証を保持する来訪者が障害を有するかなどによって決定される事項である。
【００１７】
表示部４０は、ＩＤ入館証を保持するビルディングの来訪者に対して、応対や案内などを行う画面であり、主制御部１０によって制御される。主制御部１０はＩＤ入館証読み取り部２０で読み取ったＩＤ入館証のＩＤ番号と、電波強度検知部２５で検知される電波強度と、データベース部３０におけるＩＤ入館証所持者の属性情報とに応じて、本発明の案内表示システムにおける表示部４０の表示制御等を行うものである。
【００１８】
次に、電波強度検知部２５で検知される電波の強度による表示部４０の表示制御例について説明する。図３は本発明の実施の形態に係る案内表示システムの信号電波強度による表示モードの変更を示す図である。本発明の案内表示システムでは、電波強度検知部２５で検出されるＩＤ入館証の信号電波が、所定閾値Ｓo［ｄB］以上であるか、所定閾値Ｓo［ｄB］未満であるか、によって表示部４０における表示モードが変更されること一つの特徴としている。
【００１９】
ＩＤ入館証の信号電波が、所定閾値Ｓo［ｄB］以上である場合には、当該ＩＤ入館証の所持者が案内表示システムの近くにいるものと判定して、案内表示システムは詳細表示モードをとる。この詳細表示モードでは、表示部４０の表示文字や表示画像は小さいものに設定され、表示部４０の表示情報量を多くする。
【００２０】
一方、ＩＤ入館証の信号電波が、所定閾値Ｓo［ｄB］未満である場合には、当該ＩＤ入館証の所持者が案内表示システムの遠くにいるものと判定して、案内表示システムは拡大表示モードをとる。この拡大表示モードでは、表示部４０の表示文字や表示画像は大きいものに設定され、表示部４０の表示情報量を少なくする。
【００２１】
図４は本発明の実施の形態に係る案内表示システムの表示部における画面表示例を示す図である。図４においては、本発明の実施の形態に係る案内表示システムのＩＤ入館証読み取り部２０及び表示部４０の構成が抜き出して示されている。以後、これと同様の構成の図においては、ＩＤ入館証読み取り部２０及び表示部４０の構成のみを示している。また、図４はＩＤ番号Ａ００００１（データベース部３０の図２のデータ参照）のＩＤ入館証所持者が、図４（Ａ）の状態から図４（Ｂ）の状態に示すように案内表示システムに近づいてくる事例を示している。
【００２２】
図４（Ａ）はＩＤ番号Ａ００００１のＩＤ入館証所持者が、案内表示システムから比較的遠くにあり、電波強度検知部２５で検知されるＩＤ入館証の信号強度が所定閾値Ｓo［ｄB］未満であり、表示部４０における表示が拡大表示モードとなっている状態を示している。
【００２３】
また、図４（Ｂ）はＩＤ番号Ａ００００１のＩＤ入館証所持者が、案内表示システムの近くにおり、電波強度検知部２５で検知されるＩＤ入館証の信号強度が所定閾値Ｓo［ｄB］以上であり、表示部４０における表示が詳細表示モードとなっている状態を示している。
【００２４】
以上のような本発明の案内表示システムによれば、来訪者が保持するＩＤ入館証の送信機からの電波の強度に基づいて、表示部４０における表示モードを変更するように構成されるので、表示部と来訪者との距離が考慮された効率的な表示を行うことができる。すなわち、本発明の案内表示システムは、来訪者が表示部４０から離れた場所にいるときには、案内表示システムは拡大表示モードとなり、来訪者が離れた場所からも表示部４０を視認できるようにし、また、来訪者が表示部４０の近くにいるときには、案内表示システムは詳細表示モードとなり、来訪者に対して詳細な情報を提供することが可能となる。
【００２５】
次に、ＩＤ入館証読み取り部２０で複数のＩＤ入館証が検知される場合の表示部４０の表示制御例について説明する。図５は本発明の実施の形態に係る案内表示システムの表示部における画面表示例を示す図である。図５は、ＩＤ入館証読み取り部２０が電波を検知し得る有効範囲内に、複数のＩＤ入館証が存在する場合を説明するものであり、図５（Ａ）及び図５（Ｂ）ともに、ＩＤ番号Ａ００００１（データベース部３０の図２のデータ参照）のＩＤ入館証所持者と、ＩＤ番号Ａ００００２（データベース部３０の図２のデータ参照）のＩＤ入館証所持者がＩＤ入館証読み取り部２０の電波検知有効範囲内にいる場合を示している。ＩＤ番号Ａ００００１のＩＤ入館証所持者は、ＩＤ番号Ａ００００２のＩＤ入館証所持者よりＩＤ入館証読み取り部２０から離れた場所にいるものとする。本発明の案内表示システムにおいては、このような場合に、２種類のモードをとることができることも一つの特徴としている。
【００２６】
本発明では図５のように、ＩＤ番号Ａ００００１のＩＤ入館証所持者と、ＩＤ番号Ａ００００２のＩＤ入館証所持者とがＩＤ入館証読み取り部２０の電波検知有効範囲内にいる場合には、案内表示システムにより接近しているＩＤ入館証所持者に対する案内を優先するモード（近接優先表示モード）と、電波検知有効範囲内にいる全てのＩＤ入館証所持者に対して案内を行うモード（同時表示モード）とを有している。
【００２７】
図５（Ａ）は、前者のモードにおける表示部４０表示例を示しており、この場合、ＩＤ番号Ａ００００２のＩＤ入館証所持者に対する案内表示が優先される。この図においては、ＩＤ番号Ａ００００２のＩＤ入館証所持者のＩＤ入館証からの電波強度が所定閾値Ｓo［ｄB］以上であり、表示部４０における表示が詳細表示モードとなっている状態を示している。
【００２８】
また、図５（Ｂ）は、後者のモードにおける表示部４０表示例を示しており、この場合、ＩＤ番号Ａ００００１のＩＤ入館証所持者及びＩＤ番号Ａ００００２のＩＤ入館証所持者の双方に対する案内表示が行われる。この場合、ＩＤ入館証からの電波強度の如何に関わらず、双方に対して案内表示を行うように設定される。
【００２９】
以上のような本発明の案内表示システムによれば、読み取られるＩＤ入館証のＩＤ番号情報が複数存在する場合には、全てのＩＤ番号情報に対応する情報を表示部４０に表示する「同時表示モード」と、電波強度検知部２５で検知される電波強度が最も強いＩＤ入館証のＩＤ番号情報に対応する情報を表示部４０に表示する「近接優先表示モード」とをとることが可能となり、案内表示システムをきめ細かく設定可能となっている。
【００３０】
次に、ＩＤ入館証読み取り部２０で複数のＩＤ入館証が検知される場合、ＩＤ入館証の優先度に応じた表示部４０の表示制御例について説明する。本発明の案内表示システムでは、データベース部３０の「優先表示有無」において、優先表示有りが記録されているＩＤ入館証保持者に対しては、電波検知有効範囲内にその他のＩＤ入館証保持者が存在していたとしても、優先表示を行うことも特徴の一つとしている。データベース部３０の「優先表示有無」において、優先表示有りとするような対象者としては、ＶＩＰや障害を有する者などが考えられる。図６はこのような優先表示モードにおける表示部における画面表示例を示す図である。本発明では図６のように、ＩＤ番号Ａ００００１のＩＤ入館証所持者と、優先表示有りが記録されているＩＤ番号Ａ００００３のＩＤ入館証所持者とがＩＤ入館証読み取り部２０の電波検知有効範囲内にいる場合には、優先表示有りが記録されているＩＤ入館証保持者に対する案内表示を優先するように設定される。
【００３１】
以上のような本発明の案内表示システムによれば、読み取られるＩＤ入館証のＩＤ番号情報が複数存在する場合には、ＩＤ入館証のＩＤ番号情報のうち属性情報として優先表示が記録されているＩＤ入館証のＩＤ番号情報に対応する情報を表示部４０に表示する「優先表示モード」があるので、例えば障害を有する来訪者などを優先的に案内することができる。
【００３２】
次に、以上のような種々の表示モードを有する案内表示システムにおける表示制御例について説明する。図７は本発明の実施の形態に係る案内表示システムの表示部の表示制御における表示モード判定処理のフローチャートを示す図である。
【００３３】
図７のフローチャートにおいて、ステップＳ１００で表示モード判定処理が開始されると、続いてステップＳ１０１において、ＩＤ入館証読み取り部２０が（電波検知）有効範囲内にあるＩＤ入館証の検知を行う。次に、ステップＳ１０２では、有効範囲内にあるＩＤ入館証のＩＤ番号情報、を取得し、電波強度検知部２５によって取得したＩＤ番号情報のＩＤ入館証の電波の検知強度を取得する。
【００３４】
ステップＳ１０３では、ＩＤ入館証読み取り部２０が取得したＩＤ入館証のＩＤ番号情報が、有効範囲内に新たに入った新規のＩＤであるか否かが判定される。
【００３５】
ステップＳ１０３における判定の結果がＹＥＳである場合にはステップＳ１０８に進み、ステップＳ１０３における判定の結果がＮＯである場合にはステップＳ１０４に進む。
【００３６】
主制御部１０は（電波検知）有効範囲内に存在するＩＤ入館証のＩＤ番号情報をリスト化した有効範囲内ＩＤリストを管理しており、ステップＳ１０８では、この有効範囲内ＩＤリストに、取得した新規のＩＤ番号情報を追加する。
【００３７】
ステップＳ１０４では、上記の有効範囲内ＩＤリストにこれまでリストアップされていたＩＤ番号情報のうち、ＩＤ入館証保持者が有効範囲外に移動し、検知不能となったＩＤがあるか否かを判定する。
【００３８】
ステップＳ１０４における判定の結果がＹＥＳである場合にはステップＳ１０９に進み、ステップＳ１０４における判定の結果がＮＯである場合にはステップＳ１０５に進む。
【００３９】
ステップＳ１０９では、有効範囲内ＩＤリストから検知不能となったＩＤ番号情報を削除する。
【００４０】
ステップＳ１０５では、主制御部１０は有効範囲内ＩＤリストにリストアップされているＩＤ番号情報の数を判定する。
【００４１】
ステップＳ１０５における判定の結果が「複数」であるときにはステップＳ１１０に進み、ステップＳ１０５における判定の結果が「単数」であるときにはステップＳ１０６に進む。
【００４２】
ステップＳ１０６では、電波強度検知部２５で取得した電波強度が所定の閾値Ｓo［ｄB］以上であるか否かが判定される。ステップＳ１０６での判定結果がＹＥＳであるときにはステップＳ１０７に進み、ステップＳ１０６での判定結果がＮＯであるときにはステップＳ１１４に進む。
【００４３】
ステップＳ１０７では、主制御部１０は表示部４０における表示を「詳細表示モード」（図４（Ｂ）参照）とし、ステップＳ１１４では、主制御部１０は表示部４０における表示を「拡大表示モード」（図４（Ａ）参照）とする。ステップＳ１１６で、表示モード判定の処理を終了する。
【００４４】
ステップＳ１０５で「複数」と判定されたときに進むステップＳ１１０では、データベース部３０を参照して、有効範囲内ＩＤリストにリストアップされているＩＤのうち、優先表示有りが記録されているＩＤが存在するか否かを判定する。
【００４５】
ステップＳ１１０での判定の結果がＹＥＳである場合にはステップＳ１１１に進み、ステップＳ１１０での判定の結果がＮＯである場合にはステップＳ１１２に進む。
【００４６】
ステップＳ１１１では、優先表示有りが記録されているＩＤに対応する表示を表示部４０で行わせるように、当該ＩＤを抽出する。そして次に進むステップＳ１０６での表示制御の対象は、この抽出されたＩＤ番号情報を元に行う。すなわち、この場合、図６に示すように、案内表示システムは、優先表示モードとなる。
【００４７】
ステップＳＳ１１０における判定結果がＮＯであるときに進むステップＳ１１２においては、設定されているモードが「同時表示モード」であるのか、「近接優先表示モード」であるのかを判定する。
【００４８】
ステップＳ１１２における判定の結果が「同時表示モード」であるときには、ステップＳ１１５に進み、ステップＳ１１２における判定の結果が「近接優先表示モード」であるときには、ステップＳ１１３に進む。
【００４９】
ステップＳ１１５では、主制御部１０は表示部４０における表示を「同時表示モード」（図５（Ｂ）参照）とする。
【００５０】
ステップＳ１１３では、最も近接しているＩＤ入館証所持者に対する表示を優先するように、電波強度検知部２５で検知される最大強度の電波を発しているＩＤ入館証のＩＤを抽出する。そして次に進むステップＳ１０６での表示制御の対象は、この抽出されたＩＤ番号情報を元に行う。すなわち、この場合、図５（Ａ）に示すように、案内表示システムは、近接優先表示モードとなる。
【００５１】
ステップＳ１１６では、表示モード判定処理を終了する。
【００５２】
なお、以上、種々の実施の形態について説明したが、それぞれの実施形態の構成を適宜組み合わせて構成した実施形態も本発明の範疇に入るものである。
【図面の簡単な説明】
【００５３】
【図１】本発明の実施の形態に係る案内表示システムのブロック構成の概要を示す図である。
【図２】本発明の実施の形態に係る案内表示システムのデータベース部が保持するデータ構造例概略を示す図である。
【図３】本発明の実施の形態に係る案内表示システムの信号電波強度による表示モードの変更を示す図である。
【図４】本発明の実施の形態に係る案内表示システムの表示部における画面表示例を示す図である。
【図５】本発明の実施の形態に係る案内表示システムの表示部における画面表示例を示す図である。
【図６】本発明の実施の形態に係る案内表示システムの表示部における画面表示例を示す図である。
【図７】本発明の実施の形態に係る案内表示システムの表示部の表示制御における表示モード判定処理のフローチャートを示す図である。
【符号の説明】
【００５４】
１０・・・主制御部、２０・・・ＩＤ入館証読み取り部、２５・・・電波強度検知部、３０・・・データベース部、４０・・・表示部
【図１】
2008282255.tif 000003
【図２】
2008282255.tif 000004
【図３】
2008282255.tif 000005
【図４】
2008282255.tif 000006
【図５】
2008282255.tif 000007
【図６】
2008282255.tif 000008
【図７】
2008282255.tif 000009